(57)【特許請求の範囲】
【請求項１】
家具（１２）用の可動部品である変位可能な摺動扉（１５）のための閉・制振装置（１）であって、
エネルギー蓄積器（６）であって、その第一の端部（６１）がハウジング（２、３）に取り付けられており、家具部品（１５）の開操作中、前記エネルギー蓄積器（６）が伸び、閉鎖操作中、前記エネルギー蓄積器（６）により蓄積されている力が移動可能な家具部品（１５）を最終的な閉位置に引き戻すための助けとして消費される、エネルギー蓄積器（６）と、
制振装置（７）と、  
歯車（５２）、該歯車（５２）と噛み合う歯付きラック（５１）、および、前記エネルギー蓄積器（６）の第二の端部（６２）を取り付けることができる、前記歯車（５２）に回転不能に固定される保持デバイス（５３）を有している偏向器（５）とを備えており、
前記偏向器（５）が、開閉操作中、前記エネルギー蓄積器（６）の係留点からの前記歯車（５２）の回転中心点（５２１）の距離を変える巻取り用湾曲面を有してなり、
前記巻取り用湾曲面は、前記摺動扉（１５）の開操作中に、前記エネルギー蓄積器（６）の係留点から前記歯車（５２）の回転中心点（５２１）までの距離が減少するように構成された、閉・制振装置。
【請求項２】
前記巻取り用湾曲面が前記保持デバイス（５３）に設けられてなる、請求項１に記載の閉・制振装置。
【請求項３】
前記巻取り用湾曲面が前記エネルギー蓄積器（６）用の螺旋形状のベアリング（５３１）として供され、閉位置において、前記エネルギー蓄積器（６）の係留点が前記歯車（５２）の回転中心点（５２１）から最大距離にある、請求項２に記載の閉・制振装置。
【請求項４】
前記エネルギー蓄積器（６）が引張バネとして供されてなる、請求項１乃至３のうちのいずれか一項に記載の閉・制振装置。
【請求項５】
前記保持デバイス（５３）と結合される前記エネルギー蓄積器（６）の端部（６２）がケーブルまたは真っ直すぐなワイヤー（６３）として供されてなる、請求項４に記載の閉・制振装置。
【請求項６】
前記保持デバイス（５３）と結合される前記エネルギー蓄積器（６）の端部（６２）がストラップ（６４）として供されてなる、請求項４に記載の閉・制振装置。
【請求項７】
前記ストラップ、前記ケーブルまたは前記真っすぐなワイヤー（６３、６４）の長さが、前記ストラップ、前記ケーブルまたは前記真っすぐなワイヤー（６３）だけが前記保持デバイス（５３）と接触するような寸法に形成されてなる、請求項５に記載の閉・制振装置。
【請求項８】
前記歯車（５２）が楕円形状であり、前記歯付きラック（５１）が、前記閉・制振装置の開位置において前記歯付きラック（５１）が前記歯車（５２）と噛み合っているゾーンにおけるよりも、前記閉・制振装置の閉位置において前記歯付きラック（５１）が前記歯車（５２）と噛み合っているゾーンにおける方が、前記歯車（５２）の回転軸線（５２１）に対して直角な面における幅が広くなっている、請求項１乃至７のうちのいずれか一項に記載の閉・制振装置。
【請求項９】
前記エネルギー蓄積器（６）の前記第一の端部（６１）が前記ハウジング（２、３）に取り付けられ、前記第二の端部（６２）が、開閉操作中、前記エネルギー蓄積器（６）がその両端部（６１、６２）の間でその線形性を常に維持するように前記偏向器（５）と結合されてなる、請求項１に記載の閉・制振装置。
【請求項１０】
前記エネルギー蓄積器（６）が、前記歯車（５２）の回転軸線（５２１）に対して平行になっている回転軸線のまわりを巻き付け可能となるように前記偏向器（５）と結合されてなる、請求項５に記載の閉・制振装置。
【発明の詳細な説明】
【技術分野】
【０００１】
本発明は、家具の可動部品、とくに請求項１の前提部分にかかる家具の変位可能（開閉可能）な摺動扉を閉じるおよび制振するための装置（閉・制振装置）に関するものである。
【背景技術】
【０００２】
このような閉・制振装置は、従来技術のさまざまな実施例により公知となっている。また、このような閉・制振装置は、とくに摺動扉を備えている家具に用いられ、摺動扉を前もって決められた位置から閉位置へと自動的に引き戻すようになっている。
このような閉・制振装置のエネルギー蓄積器としてとくに引張バネが用いられる場合、家具の可動部品、たとえば摺動扉を開ける際の引張バネのバネ特性の線形性に起因して、引張バネを前もって決められた長さに伸ばすために比較的大きな作用力が必要となる。
摺動扉を開ける際に必要となる力を最小限に抑え、及び/又はバネ特性曲線の傾斜を小さくするために、従来の解決策では、ハウジング内で巻き付けられるできるだけ長い引張バネが用いられた。また、それに代えて、複数の連結される引張バネおよび／または圧縮バネを設けることも公知となっている。
【発明の概要】
【発明が解決しようとする課題】
【０００３】
本発明の目的は、開操作に必要な力が小さくおよび／またはバネ特性曲線の傾斜が小さい、家具の可動部品用の閉・制振装置を提供することにある。
本発明の目的は、請求項１に記載の特性を備えている、家具の可動部品用の閉・制振装置によりまた、請求項８に記載の特性を備えている、家具の可動部品用の閉・制振装置により達成される。
【課題を解決するための手段】
【０００４】
本発明にかかる閉・制振装置にはエネルギー蓄積器が設けられており、このエネルギー蓄積器の第一の端部はハウジングに取り付けられている。具体的にいえば、エネルギー蓄積器は、引張バネの形態を有しており、家具の可動部品の開操作中、エネルギー蓄積器は伸び、閉操作中、エネルギー蓄積器に蓄積されている力が家具の可動部品を最終的な閉位置に引き戻すための助けとして用いられる。さらに、かかる閉・制振装置は、とくに気圧式、液圧式などの制振装置の形態を有している制振デバイスを備えている。
エネルギー蓄積器の第二の端部は偏向器と結合されている。この偏向器は、歯車と、歯車と噛み合う歯付きラックと、歯車に回転不能に固定されている（すなわち、歯車と一緒に回転するように固定されている）保持デバイスとを備えている。本発明によれば、偏向器は、開閉操作中、エネルギー蓄積器の係留点（anchorage point）からの歯車の回転中心点の距離を変えるための巻取り用湾曲面を備えている。家具の可動部品、具体的にいえば摺動扉が家具に対して開かれる場合、ドライバーが歯付きラックを押し、歯付きラックが歯車を駆動し、エネルギー蓄積器が巻取り用湾曲面のまわりに巻き付けられる。このことにより、巻取り用湾曲面の形状に起因して、歯車に巻き付けられたエネルギー蓄積器の一方の端部の係留点における有効レバーアーム長（effective lever arm）が変わるようになる。このことは、従来の解決策と比較して、開操作中に加えられる力がより少なくてすみ、また、引張バネがエネルギー蓄積器として用いられた場合、バネの特性曲線がより平坦、具体的にいえば水平であることまたは僅かに下方に向けて下がっていることを意味する。
【０００５】
本発明の有利な実施形態は従属クレームに示されている。
好ましい実施形態によれば、螺旋形状のベアリングとして供される巻取り用湾曲面が保持デバイスに設けられており、ベアリングの閉位置において、エネルギー蓄積器の係留点が歯車の回転中心点から最大の距離にある。
他の有利な実施形態によれば、保持デバイスと結合されるエネルギー蓄積器の端部がケーブルまたは真っすぐなワイヤーとして作成れる。このことは、理想的にはケーブルまたは真っすぐなワイヤーのみが保持デバイスと接触するような長さにケーブルまたは真っすぐなワイヤーが形成されているので、エネルギー蓄積器を保持デバイスにより簡単に取り付けることができることを意味する。 
【０００６】
本発明の他の有利な実施形態にかかる閉・制振装置によれば、歯車が楕円形状であり、歯付きラックの幅が、閉・制振装置の開位置において歯付きラックが歯車と噛み合っているゾーンにおけるよりも、閉・制振装置の閉位置において歯付きラックが歯車と噛み合っているゾーンにおける方が広くなっている。このような実施形態における歯車および／または歯付きラックは、歯車の閉位置におけるエネルギー蓄積器の逆向きのトルクの方が歯車の開位置におけるエネルギー蓄積器の逆向きのトルクよりも大きくなっている。巻線技術自体の場合と同様に、このことにより、ピンと張られたエネルギー蓄積器の莫大なエネルギーが補償されるようになっている。本実施形態では、巻線技術と湾曲面のまわりを回転する歯を組み合わせることにより、てこの原理に従って開操作に必要とされるエネルギーを最小限に抑えることに関する効果が最大化される。 
他の実施形態によれば、閉・制振装置は、エネルギー蓄積器の第一の端部をハウジングに取り付け、第二の端部を、開閉操作中、エネルギー蓄積器がその両端部の間でその直線性を常に維持するよう偏向器と結合するように構成されている。このことは、開操作中、家具の可動部品が次第に開かれていく時、エネルギー蓄積器はそれほどピンと張った状態にはないことを意味する。とくに引張バネがエネルギー蓄積器として用いられる場合、エネルギー蓄積器は、歯付きラックが変位する距離よりも少ない距離だけ伸ばされる、または、エネルギー蓄積器が反れるまたは巻き付けられる場合よりもより少なく伸ばされる。本発明のこの実施形態であっても、従来の解決策に比べると、開操作に必要となるエネルギーの量はより少ないし、バネ特性曲線も平坦である。 
【図面の簡単な説明】
【０００７】
本発明の例示の実施形態については、より詳細に添付の図面に記載されている。
【図１】本発明の第一の実施形態にかかる閉・制振装置を示す概略斜視図である。
【図２】本発明の第一の実施形態にかかる閉・制振装置を示す概略斜視図である。
【図３】図１に記載の閉・制振装置を示す分解斜視図である、
【図４】閉位置にある図１〜図３に記載の閉・制振装置を示す平面図である。
【図５】開位置にある図１〜図３に記載の閉・制振装置を示す平面図である。
【図６】家具用の摺動扉に取り付けられている閉・制振装置を示す斜視図である。
【図７】部分的に開かれた摺動扉を示している、家具に取り付けられた図６に記載の閉・制振装置を示す図である。
【図８】本発明の他の実施形態にかかる閉・制振装置を示す斜視図である。
【図９】図８の実施形態にかかる閉・制振装置を示す斜視図である。
【図１０】閉位置にある図９に記載の閉・制振装置を示す図である。
【図１１】開位置にある図９に記載の閉・制振装置を示す図である。
【図１２】閉位置にある本発明の他の実施形態にかかる閉・制振装置を示す平面図である。
【図１３】開位置にある図１２に記載の閉・制振装置を示す図である。
【図１４】従来の閉・制振デバイスのバネ特性と本発明にかかる閉・制振デバイスのバネ特性とを比較する力特性グラフである。
【図１５】閉位置にある本発明の他の実施形態にかかる閉・制振装置を示す平面図である、
【図１６】開位置にある図１５に記載の閉・制振装置を示す平面図である。
【図１７】ハウジングが取り除かれた状態にある図１５に記載の閉・制振装置を示す図である。
【図１８】ハウジングが取り除かれた状態にある図１６に記載の閉・制振装置を示す図である。
【図１９】閉位置にある本発明の他の実施形態にかかる閉・制振装置を示す平面図である。
【図２０】閉位置にある図１９に記載の閉・制振装置を示す平面図である。
【発明を実施するための形態】
【０００８】
下記の図の説明では、上側、下側、左側、右側、前側、後側などの用語は、閉・制振装置、エネルギー蓄積装置、偏向器などのそれぞれの例示の図面において選択される表現および位置について言及したものに過ぎない。これらの用語は限定的なものではなく、また、これらの表現は、作業位置が異なったり、配置がミラー配置のような対称的なものだったりした場合、それに応じて変わる場合もある。 
図３では、符号１は、本発明の一実施形態にかかる家具の可動部品、とくに図６および図７に記載の家具本体１２の一部に、置換え可能な摺動扉１５用の閉・制振装置全体を表している。さらに図１および図２から分かるように、閉・制振装置１にはドライバー４が設けられている。閉・制振装置１が家具本体１２に取り付けられると、摺動扉１５に配置されているアクチベータがドライバー４と係合する。摺動扉１５が開かれてエネルギー蓄積器６を引き伸ばすと、アクチベータは、ドライバー４を閉・制振装置１のハウジングの案内スロット２３、３３に沿って押す。引張バネとして供されることが好ましいエネルギー蓄積器６は、その第一の端部６１がハウジング２、３に取り付けられている。このエネルギー蓄積器６の他方の端部６２は、家具の可動部品、たとえば図７に示されている摺動扉１５を開ける操作中はぴんと張った状態にあり、エネルギー蓄積器６に蓄積されるエネルギーは、次に摺動扉を閉める操作中に摺動扉１５を最終閉位置へ引き戻す際の助けとして用いられる。エネルギー蓄積器６の他方の端部６２は偏向器５と結合されている。偏向器５は、基本的に、歯車５２と、歯車５２と噛み合う歯付きラック５１と、歯車５２に回転不能に配置されている保持デバイス５３とから構成されている。
【０００９】
図４には、閉位置にある閉・制振装置１が示され、図５には、摺動扉１５に保持されているアクチベータがドライバー４ともはや係合しなくなった後の開位置にある閉・制振装置１が示されている。図４に示されている閉位置では、エネルギー蓄積器６は、実質的に引っ張られた状態におかれていない。偏向器５の保持デバイス５３は、保持デバイス５３に取り付けられているエネルギー蓄積器６の端部６２をさらにもう一度偏向することができる位置にある。摺動扉１５が開けられると、ドライバー４によりカップリング８を介して歯付きラック５１に圧力が加えられる。
歯付きラック５１の前側端部には、歯車５２の歯と噛み合う歯５１１が設けられている。歯付きラック５１を（図４および図５の右側へ）変位させると、歯車５２、ひいては歯車５２に回転不能に取り付けられている（すなわち、歯車５２と一緒に回転するように取り付けられている）保持デバイス５３が時計回りに回転し、エネルギー蓄積器６の係留点からの歯車５２の回転中心点５２１の距離が開操作中に変わるよう、さらに具体的にいえば、開操作中に減少するようにエネルギー蓄積器６が反れて引っ張られる。この距離の減少により、有効レバーアーム長が短くなり、ひいてはエネルギー蓄積器６をピンと張るのに必要となるエネルギーの量が少なくてすむようになる。 
【００１０】
このようにして摺動扉が開かれる際の抵抗を減らすことにより、ドライバー４が摺動扉のアクチベータと係合している状態から摺動扉が解除された状態になるまでの開運動中の摺動扉の移動がスムーズ（harmonious）なものとなる。従来の公知の解決策では、アクチベータがドライバー４から解除される時に急激に抵抗が減少するようになっていた。 
図１〜図４に記載の実施形態によれば、エネルギー蓄積器が保持デバイス５３に巻きつけられる時に螺旋形状のベアリング５３１に乗っかるように、保持デバイス５３が歯車５２に取り付けられている。歯車５２または保持デバイス５３が閉位置にある時に歯車５２の回転中心点５２１からのベアリング５３１の距離が最大となるように、螺旋形状の向きが合わせられており、この距離は、エネルギー蓄積器６が保持デバイス５３にだんだんと巻き付けられていくに従って減少していく。 
閉・制振装置１には制振デバイス７がさらに設けられている。具体的にいえば、制振デバイス７は気体式または液圧式の制振装置として供され、プッシュロッド７１の一方の端部は制振装置の密にシールされたハウジングの中まで延び、プッシュロッド７１の他方の端部は閉・制振装置１のハウジング２、３に固定されている。制振デバイス７のハウジングは、歯付きラック５１と結合され、ドライバー４が閉・制振装置１のハウジング２、３の案内スロット２４、３４に沿って変位する時一緒に運ばれるようになっている。好ましくは、歯付きラック５１は、閉・制振装置１のハウジング２、３の案内スロット２４、３３と係合する２つの案内ピン５１３によって、案内スロット２４、３４内を案内されるようになっており、これら２つの案内ピン５１３は、歯付きラック５１にモールド成形されているかまたは取り付けられている。
閉・制振装置１のハウジングを形成する２つのハウジング２、３は一緒にネジ止めされるようになっていることが好ましい。このように構成するために、ネジ切りされた開口部が好ましくは長方形のハウジング２、３の４つの角部に形成され、ネジ１１をねじ込むことでハウジング２、３の半分同士を接続することができるようになっている。閉・制振装置１は、ハウジング２、３のさらなる２つの開口部２５、３５を用いて家具にネジ止めすることができる。 
【００１１】
図６および図７には、家具に取り付けられた状態にある閉・制振装置１が示されている。図６および図７には、摺動扉キャビネットの一部分が示されており、レール１３には摺動扉１５がローラー１６により吊され、摺動扉１５の閉位置では、ローラー１６がレール１３の端部にある拘束デバイス１４に固定されうることが示されている。
図８〜図１１には、本発明の他の実施形態にかかる閉・制振装置１が示されている。図８〜図１１によれば、螺旋形状のベアリングが保持デバイス５３に設けられていないものの、保持デバイス５３が、基本的に、舌状の保持部５３２が半径方向に沿って延びている円形状の板として供されている。この円形状の板にはエネルギー蓄積器６の第二の端部６２が取り付けられている。好ましくは、エネルギー蓄積器６は、偏向器５、とくに歯車５２の回転軸線に対して平行な向きの回転軸に回転可能に取り付けられている。 
図１０および図１１から分かるように、閉・制振装置が閉位置から開位置へ移動し、ドライバー４が歯車５２と係合する歯付きラック５１のカップリング８によって変位される時、エネルギー蓄積器６全体がエネルギー蓄積器の第一の端部６１におけるエネルギー蓄積器の懸架点を中心として下方に向けて揺動される。このことにより、好ましくは引張バネとして供されるエネルギー蓄積器６が、歯付きラック５１が変位する全距離だけ反れるのではなくそれよりも短い距離だけ反れるようになる。というのは、エネルギー蓄積器６の第二の端部６２が、エネルギー蓄積器を保持デバイス５３、具体的にいえば半径方向外側に向けて延出する舌状の保持用５３２に接続されているため、線形に変位するのではなく円を描くように移動するからである。
【００１２】
図１２および図１３には、本発明の他の実施形態にかかる閉・制振装置１が示されている。この場合には、図１〜図４に記載の実施形態とは対照的に、エネルギー蓄積器６は、全体が引張バネとして供されているのではなく、保持デバイス５３への機能的な接続ゾーンの領域ではケーブルまたは真っすぐなワイヤー６３として供されており、歯付きラック５１が閉位置から開位置へ移動される時、保持デバイス５３に巻きつけられる（図１３）。 
図１９および図２０に示される他の更なる代替案では、エネルギー蓄積器６は、保持デバイス５３への機能的な接続ゾーンの領域ではストラップ６４として供されている。このストラップは、図１２および図１３に関して記載された実施形態と同様に、歯付きラック５１が閉位置から開位置へ移動する時（図１３）、保持デバイス５３に巻き付けられる。ストラップ６４は、具体的にいえばプラスチックフィルム製のヒンジ型部品として供されているが、プラスチック、テキスタイルまたは薄い金属からなる織られたストラップであってもよいと考えられている。好ましくは、ストラップ６４は、一方側では歯車５２の保持デバイス５３に接続され他方側ではエネルギー蓄積器６に接続される別個の部品として供される。 
【００１３】
図１５および図１８には、本発明の他の有利な実施形態に係る閉・制振装置１が示されている。この場合、前の実施形態とは対照的に、歯車５２は、円形状ではなく楕円形状である。それに応じて、歯付きラック、より正確にいえば歯付きラック５１の歯の付いている領域５１１が傾斜した縁部として供されている。このことは、歯車５２の回転軸線５２１に対して直角な面において、歯付きラック５１の幅は、閉・制振装置１の開位置において歯付きラック５１が歯車５２と噛み合っているゾーンにおけるよりも、閉・制振装置１の閉位置において歯付きラック５１が歯車５２と噛み合っているゾーンにおける方が広くなっていることを意味する。
図１４には、従来技術における自動閉装置として公知になっている従来の閉装置の力−径路特性曲線（特性曲線Ａ）と、本発明にかかる閉・制振装置１の力−径路特性曲線（特性曲線Ｂ）との間の比較が明確に示されている。特性曲線Ｂの場合、反りｓが大きくなるにつれて、反りに必要とされる力Ｆが継続して小さくなるが、特性曲線Ａによって示される従来の閉・制振装置の場合、引張バネが反れば反るだけ、より大きな力Ｆを加えなければいけなくなる。 
【符号の説明】
【００１４】
１  閉・制振装置
２  ハウジング
３  ハウジング
４  ドライバー
５  偏向器
６  エネルギー蓄積器
７  制振器
８  カップリング
１１  ネジ
１２  家具本体
１３  トラック
１４  拘束デバイス
１５  摺動扉
１６  ローラー
２３  案内スロット
２４  案内スロット
２５  開口部
３３  案内スロット
３４  案内スロット
３５  開口部
５１  歯付きラック
５２  歯車
５３  マウント
６１  端部
６２  端部
６３  ケーブルまたは真っ直すぐなワイヤー
６４  ストラップ
７１  プッシュロッド
５１１  歯
５１３  案内ピン
５２１  回転中心点／回転軸線
５３１  ベアリング
５３２  舌状の保持部
Ａ  特性曲線
Ｂ  特性曲線
Ｆ  力
ｓ  径路
【図１】
0005941061.tif 000002
【図２】
0005941061.tif 000003
【図３】
0005941061.tif 000004
【図４】
0005941061.tif 000005
【図５】
0005941061.tif 000006
【図６】
0005941061.tif 000007
【図７】
0005941061.tif 000008
【図８】
0005941061.tif 000009
【図９】
0005941061.tif 000010
【図１０】
0005941061.tif 000011
【図１１】
0005941061.tif 000012
【図１２】
0005941061.tif 000013
【図１３】
0005941061.tif 000014
【図１４】
0005941061.tif 000015
【図１５】
0005941061.tif 000016
【図１６】
0005941061.tif 000017
【図１７】
0005941061.tif 000018
【図１８】
0005941061.tif 000019
【図１９】
0005941061.tif 000020
【図２０】
0005941061.tif 000021